【事件の表示】
　上記当事者間の登録第５８０５００５号商標の登録取消審判事件について、次のとおり審決する。
【結　論】
　本件審判の請求は、成り立たない。
　審判費用は、請求人の負担とする。
【理　由】
第１　本件商標
　本件登録第５８０５００５号商標（以下「本件商標」という。）は、「ＰＸＧ」の欧文字を標準文字で表してなり、２０１４年（平成２６年）９月２２日にアメリカ合衆国においてした商標登録出願に基づいてパリ条約第４条による優先権を主張し、平成２７年１月２０日に登録出願、「ゴルフ用具，ゴルフクラブ」を含む第２８類に属する商標登録原簿記載の商品を指定商品として、同年１１月６日に設定登録され、現に有効に存続しているものである。
　そして、本件審判の請求の登録日は、令和元年１０月１１日であり、商標法第５０条第２項に規定する「審判の請求の登録前３年以内」とは、平成２８年１０月１１日から令和元年１０月１０日までの期間（以下「要証期間」という。）である。
第２　請求人の主張
１　請求人は、商標法第５０条第１項の規定により、本件商標の登録を取り消す、審判費用は被請求人の負担とする、との審決を求め、その理由を要旨次の２のように述べ、証拠方法として甲第１号証を提出した。
２　本件商標は、継続して３年以上日本国内において商標権者、専用使用権者又は通常使用権者のいずれによっても、その指定商品について使用されていないものである。
　したがって、本件商標は、取り消されるべきものである。
３　請求人は、被請求人の答弁に対し、何ら弁駁していない。
第３　被請求人の答弁
　被請求人は、結論同旨の審決を求めると答弁し、その理由を要旨次のように述べ、証拠方法として乙第１号証ないし乙第２４号証（枝番号を含む。）を提出した。
　以下、証拠の表記に当たっては、「乙第○号証」を「乙○」のように省略して記載する。
１　本件商標は、請求に係る指定商品中「ゴルフクラブ」につき、商標権者及び通常使用権者により継続して使用されているものである。
２　被請求人について
　被請求人は、著名な資産家で熱心な慈善家でもあるＡ氏によって、２０１４年９月に創業された。
　被請求人製造のゴルフクラブは、２０１６年６月に日本総販売代理店が設置され我が国にも進出したが、初心者から上級者までの広い範囲のゴルファーたちの熱烈なる支持により、短期間で被請求人のゴルフクラブ、「ＰＸＧ」の文字商標（以下「ＰＸＧマーク」という。）及び「ＰＸＧ」の文字を図案化した商標（以下「ＰＸＧロゴ」という。）は周知著名となり、日本のゴルフ愛好家にも広く浸透している。
　被請求人は、２０１９年３月に大阪府にドライビングレンジを開設し、各種ゴルフ用品を備えたショップ等を提供している。
３　本件審判請求について
　請求人は、産業用ギヤユニット（インダストリアル・ギヤ）やモータ、ギヤモータの分野の工業製品の製造及び販売を主たる業務としている。
　これに対して、被請求人は、ゴルフクラブ等のゴルフに関連する商品の製造販売、ゴルフクラブのフィッティング、ゴルフ大会の主催等のサービスの提供を主たる業務とするものであり、両者において利害の抵触する様子は見て取れない。
　請求人は、本件を含め被請求人に対しＰＸＧマーク及びＰＸＧロゴに係る登録商標の取消しの審判の請求を２６件という多数の件数につき行っている。挙証責任を被請求人が負うことからも、答弁等の対応に被請求人は過大な精神的、経済的な負担を負っている。
　本件審判請求は、商標法第５０条の趣旨に反し、精神的、経済的に被請求人を害することを目的としているものといわざるを得ず、このような審判請求は権利の濫用であって却下されるべきものである。
４　使用事実の説明
　被請求人の日本総代理店で通常使用権者である株式会社ＰＸＧ　ＪＡＰＡＮ（以下「ＰＸＧジャパン社」という。）は、被請求人のゴルフクラブ等の販売促進のために商品カタログ（乙１の１）を発行している。後述するとおりＰＸＧマークやＰＸＧロゴが多数使用されている。当該商品カタログの印刷の請求書（乙１の２）の発行日は２０１９年４月２４日であり、要証期間内に発行されており、要証期間内に配布されていたことは明らかである。
　被請求人の日本総代理店で本件商標の通常使用権者であるＰＸＧジャパン社は、２０１９年３月１９日に現在の名称に変更され、被請求人の創業者であるＡ氏も同日付けで取締役となっており、被請求人とＰＸＧジャパン社が極めて密接な関係にあることが理解される（乙１の３）。
　請求書及び納品書（乙５の１ないし乙２４の２）は、それぞれドライバー、フェアウェイウッド、ハイブリッド（ユーティリティー）、アイアン、ウェッジ及びパターが納入、請求されたことを示すものであり、それらが要証期間内に行われていたことを明らかにしている。
　商品カタログ（乙１の１）を照合すると、上記ドライバー等にＰＸＧマーク及びＰＸＧロゴが使用されていることが確認できる。
　なお、納品書には納入日の記載がないが、納品書は請求書と一体となり取引されるものであり、発行日の特定はないものの請求書と同日付けで発行されていることは明らかである。
第４　当審の判断
１　被請求人の提出に係る証拠及び同人の主張（当事者間に争いのない事実）によれば、次の事実が認められる。
（１）ＰＸＧジャパン社は、本件商標に係る商標権者（以下、単に「商標権者」という。）の日本総代理店である（被請求人の主張）。
（２）商標権者の創業者であるＡ氏は、ＰＸＧジャパン社の取締役である（乙１の３及び被請求人の主張）。
（３）ＰＸＧジャパン社に対して、「ＰＸＧ商品カタログ」計１０，０００部の制作費及び４９か所へのカタログ発送費が２０１９年（平成３１年）４月２４日に請求された（乙１の２）。
　また、ＰＸＧジャパン社発行の商品カタログ（以下「本件商品カタログ」という。）には、「ＰＸＧ」の欧文字をサンセリフ体で表してなる商標（以下「使用商標」という。）の下、「ゴルフ用のドライバー、フェアウェイウッド、ハイブリッド（ユーティリティークラブ）、アイアン、ウェッジクラブ」（以下、これらをまとめて「使用商品」という。）の各種商品が掲載され、当該商品の材質や操作性の良さ等が記載されている（乙１の１）。
（４）本件商品カタログに掲載の商品が、ＰＸＧジャパン社から、太平洋クラブ美野里コース、株式会社大丸松坂屋百貨店、太平洋クラブ御殿場コース、オーバードライブ高島屋大阪店、株式会社ウィザード５４、及び日本橋三越本店等に対して納品され、２０１９年（令和元年）８月２日から同年１０月１０日までの間に代金の請求がされた（乙５の１ないし乙２４の２）。
２　前記１において認定した事実によれば、以下のとおり判断できる。
（１）使用商標について
　本件商標は、前記第１のとおり、「ＰＸＧ」の欧文字を標準文字で表してなるものである。
　他方、使用商標は、前記１（３）のとおり、「ＰＸＧ」の欧文字をサンセリフ体で表してなるものである。
　そうすると、本件商標と使用商標とは、書体のみに変更を加えた同一の文字からなるものといえるから、使用商標は、本件商標と社会通念上同一と認められる商標である。
（２）使用商品について
　使用商品は、前記１（３）のとおり、「ゴルフ用のドライバー、フェアウェイウッド、ハイブリッド（ユーティリティークラブ）、アイアン及びウェッジクラブ」であるから、本件商標の指定商品中「ゴルフ用具，ゴルフクラブ」に含まれるものである。
（３）使用時期について
　前記１（３）の認定事実から、使用商標を付した本件商品カタログは、使用商品に関する広告といえるものであって、遅くとも２０１９年（平成３１年）４月２４日頃に制作され、４９か所に発送されたものといえること、また、前記１（４）の認定事実から、本件商品カタログに掲載の商品が、ＰＸＧジャパン社から複数の者に対して納品され、２０１９年（令和元年）８月から同年１０月にかけて代金の請求がされたことからすれば、ＰＸＧジャパン社は、２０１９年（平成３１年）４月２４日以降、遅くとも２０１９年（令和元年）８月までには使用商品に関する商品カタログ（広告）に使用商標を付したものを展示又は頒布したと推認することができる。
　そして、上記時期は、要証期間内である。
（４）使用者について
　前記１（１）のとおり、ＰＸＧジャパン社は、商標権者の日本総代理店であり、また、前記１（２）のとおり、商標権者の創業者であるＡ氏は、ＰＸＧジャパン社の取締役である。
　そうすると、商標権者とＰＸＧジャパン社とは、密接な関係にあったということができるから、ＰＸＧジャパン社は、本件商標の使用について、商標権者から黙示の許諾を与えられていたものと推認することができる。
　したがって、ＰＸＧジャパン社は、本件商標に係る通常使用権者（以下、単に「通常使用権者」という。）であるということができる。
（５）小括
　以上によれば、通常使用権者であるＰＸＧジャパン社は、要証期間内に、本件商標と社会通念上同一の商標と認められる使用商標を本件商標の指定商品中に含まれる使用商品に関する広告に付して展示又は頒布したと認めることができる。
　そして、この行為は、商標法第２条第３項第８号にいう「商品・・・に関する広告に標章を付して展示し、若しくは頒布・・する行為」に該当する。
３　なお、被請求人は、本件審判の請求は、商標法第５０条の趣旨に反し、精神的、経済的に被請求人を害することを目的としているものといわざるを得ず、権利の濫用であって却下されるべきである旨主張している。
　ところで、商標法第５０条において規定される商標登録の取消しの審判（以下「取消審判」という。）は、何人も請求することができるのであるから、取消審判の請求が権利の濫用となるのは、専ら被請求人を害することを目的としていると認められる場合などの特段の事情がある場合に限られるというべきである。
　そして、たとえ請求人が被請求人に対し２６件の取消審判を請求したとしても、このことが特段の事情に該当するとは認められず、他に、本件審判の請求が権利の濫用となるべき事情は何ら認められない。
　したがって、本件審判の請求を却下することはできない。
４　まとめ
　以上により、被請求人は、本件審判の請求の登録前３年以内に日本国内において、通常使用権者が、請求に係る商品に含まれる商品について、本件商標と社会通念上同一と認められる商標の使用をしていることを証明したということができる。
　したがって、本件商標の登録は、商標法第５０条の規定により取り消すことはできない。
　よって、結論のとおり審決する。